(57)【要約】  ノズル洗浄等のメンテナンスを不要としてかつノズル詰りによる印刷不良や品質劣化などの印刷時のトラブルを防ぐこと。    スプレーユニットのハウジング６内に配備された複数のスプレーノズル4は少なくとも噴射口周辺、或いは噴射口周辺に加えて噴射口内壁やノズル噴射口付近表面に光触媒を配すると共に、ダンプナーハウジング内には光源２０がスプレー噴射角４ａの外側に配備されている。光源は透光性カバー２１で覆われており、また光源あるいは透光性カバーの外表面およびスプレーユニットのハウジング内部表面に光触媒を配している。
2010004902.tif 000002
【特許請求の範囲】
【請求項１】
オフセット印刷機と組み合わせるために、ダンプニングローラの長手方向に沿って開口を持ったスプレーユニットと、該スプレーユニットのハウジングの内部に設けられ前記ダンプニングローラに向けて湿し水をスプレーする複数のスプレーノズルと、を備え、前記スプレーユニットのハウジング内に複数のスプレーノズルおよび少なくても一つ以上の光源が配置され、少なくとも前記スプレーノズルのスプレー噴射口周辺に光触媒が配されていることを特徴とする印刷機用スプレーダンプナー装置。
【請求項２】
前記光触媒が噴射口付近表面に配されていることを特徴とする請求項１に記載の印刷機用スプレーダンプナー装置。
【請求項３】
前記光触媒が噴射口内壁に配されていることを特徴とする請求項１または２に記載の印刷機用スプレーダンプナー装置。
【請求項４】
前記光触媒が噴射口付近表面および噴射口内壁に配されていることを特徴とする請求項１に記載の印刷機用スプレーダンプナー装置。
【請求項５】
前記光源が紫外線あるいは可視光を発するランプであることを特徴とする請求項１に記載の印刷機用スプレーダンプナー装置。
【請求項６】
前記光源が発光ダイオードであることを特徴とする請求項１に記載の印刷機用スプレーダンプナー装置。
【請求項７】
前記光源がスプレー噴射角の外側に配備されていることを特徴とする請求項１に記載の印刷機用スプレーダンプナー装置。
【請求項８】
前記光源を透光性カバーで覆うことを特徴とする請求項１に記載の印刷機用スプレーダンプナー装置。
【請求項９】
前記スプレーユニットのハウジング内部表面に光触媒を配したことを特徴する請求項１に記載の印刷機用スプレーダンプナー装置。
【発明の詳細な説明】
【技術分野】
【０００１】
本発明は平版印刷用印刷機に湿し水を供給するスプレーダンプナー装置に関し、詳しくは少なくともスプレーノズルのスプレー噴射口周辺に光触媒を配し、この光触媒に光を照射する光源を有するスプレーユニットを備えた印刷機用スプレーダンプナー装置に関する。
【背景技術】
【０００２】
平版印刷用印刷機、特に新聞用輪転印刷機の湿し水供給方法としてスプレーダンプナー装置が一般的に使われている。印刷工場内に飛散或いは浮遊するインキミスト、紙粉、粉塵などがスプレーユニット内の少なくともノズル噴射口周辺に経時的に堆積し、或いはノズル噴射口周辺に加えて噴射口付近表面や噴射口内壁に経時的に堆積してスプレーパターンを乱し印刷不良を起こすため煩雑且つ労力と時間のかかるスプレーノズルのメンテナンスあるいは高価なノズルの新品交換を定期的に行っている。【０００３】
両面多色印刷機の場合に、特に新聞印刷機においては一般的に１７００ミリメートル前後の横幅があり、両面４色機ではスプレーユニットを８台必要とし、その８台それぞれは８個のスプレーノズルを持っている。スプレーユニット全体の横幅の長さに加えて、かなりの重量であるために、スプレーノズルの交換あるいはメンテナンスには通常２名以上の作業員で印刷機からスプレーユニットの取り外し、スプレーノズルを取り外し、洗浄、再組み付け、検査、調整、印刷機にスプレーユニットを装着するという時間と労力を要する作業が必要で生産性と労働安全面においても問題となっていた。フォーハイ（４−high ）と一般的に呼ばれ印刷ユニットを縦に積み上げる方式の印刷機においては２色目、３色目、４色目と印刷ユニットを積み上げるごとに足場が高くなり前記のメンテナンス作業は危険を伴う作業となる。横幅の狭い新聞印刷機或いは商業印刷機においては両面、片面印刷のいずれにおいてもスプレーユニットの重量は比較的軽減するが依然として前述の時間と労力がかかる煩雑なノズルのメンテナンス或いは新品交換という問題を抱えている。【０００４】
上述スプレーノズル汚れの主因はスプレーユニット内においてスプレー噴射に伴って発生する空気の動きによってノズル噴射口付近に引き寄せられた紙粉、粉塵、インキミストがノズルと接触し堆積するもので、この問題に対する従来の解決手段としては、引用文献１に開示されているようにスプレー噴射口周辺の形状を工夫してスプレー噴射に伴って生じるエアーフローを変化させて汚れの原因物質がノズル噴射口付近に堆積しにくくなるようにするか、或いは引用文献２に開示されているように開口部を持ったエアーキャップでスプレーノズルを覆い汚れの原因物質がエアーキャップ内に入りにくくする工夫がなされている。これらの対策によりノズル噴射口付近の汚れ原因物質の堆積減少効果が見られ、必要なメンテナンスの回数減少に寄与したもののエアーを完全に遮断してないことから根本的解決にはならず、メンテナンスには引き続き時間と労力を費やしているのが現状である。【０００５】
また液体供給ノズルの先端部の外周面に超親水物質を被着した構造が引用文献３に開示されているが、オフセット印刷機におけるスプレーダンプナーは、ノズルが光から遮断された環境にあり、連日極めて長時間連続使用されるため、単に液体供給ノズル先端部の外周面に超親水性物質を被着しただけのノズル構造では印刷工場内に浮遊する紙粉、粉塵、インキミストなどがノズル噴射口付近に経時的に堆積してスプレーパターンを乱すという印刷分野における特有な課題を解決できない。
【先行技術文献】
【特許文献】
【０００６】
特許文献１：特開２００５−１５３５１３号公報
特許文献２：特開２００７−５２１１２９号公報
特許文献３：特開平１０−２５６１１６号公報
【発明の開示】
【発明が解決しようとする課題】
【０００７】
解決しようとする問題点は、ノズル交換あるいは洗浄等のメンテナンスに時間と労力を費やしており、かつノズル詰りによる印刷不良や印刷品質劣化などの印刷時のトラブルを防ぐことができない点である。
【課題を解決するための手段】
【０００８】
本発明の印刷機用スプレーダンプナー装置は、オフセット印刷機と組み合わせるために、ダンプニングローラの長手方向に沿って開口を持ったスプレーユニットと、該スプレーユニットのハウジングの内部に設けられダンプニングローラに向けて湿し水をスプレーする複数のスプレーノズルとを備え、スプレーユニットのハウジング内に複数のスプレーノズルおよび少なくても一つ以上の光源が配置され、少なくともスプレーノズルのスプレー噴射口周辺に光触媒が配されていることを特徴とする。【０００９】
好ましくは光触媒がスプレー噴射口周辺に加えて噴射口付近表面および／または噴射口内壁に配されている。スプレー噴射口周辺とはスプレーパターンを形成する領域であり、その領域に汚染物質が付着又は堆積することによりスプレーパターンに影響を及ぼす領域である。本発明の構成上の表現「光触媒が配されている」とは、光触媒として例えば二酸化チタンを適用し、これを塗布する、塗布して焼き付ける、蒸着する、蒸着焼成する、あるいは光触媒材料そのものでノズルが作られる等の技術を包含する。【００１０】
本発明は、次の構成を包含する。
（１）スプレーユニットのハウジング内に光触媒を配したスプレーノズルと光源を配備する。
（２）光源が紫外線あるいは可視光を発するランプである。
（３）光源が発光ダイオード（ＬＥＤ）である。
（４）光源がスプレー噴射角の外側に配備されている。
（５）光源が透光性カバーで覆われている。
（６）光源、透光性カバーの外表面に光触媒を配している。
（７）スプレーユニットのハウジング内部表面に光触媒を配している。
【発明の効果】
【００１１】
本発明の印刷機用スプレーダンプナー装置は、スプレーユニットのハウジング内の各スプレーノズルの汚染物質の堆積がスプレーパターンの乱れの原因と成る部分に光触媒を配するとともに光源を配備することで噴射する湿し水によるノズル噴射口付近の空気の流れ、或いは噴射後のノズル噴射口付近の空気の流れによって引き寄せられる汚染物質を付着或いは堆積させずに湿し水噴出時のスプレーミストと共に流し落として、ノズル交換或いは洗浄等のメンテナンスを低減しかつノズル詰りによる印刷不良や品質劣化などの印刷時のトラブルを防ぐことができる。また、光源を配備する位置はスプレー噴射角外に位置することでスプレーパターンを乱さない。スプレーユニット内に配備する光源の位置は必ずしも図３に示すようなダンプニングローラ長手方向左右のスプレー噴射角外だけではなく図４に示す如く上下のスプレー噴射角外でも良く、更にはダンプニングローラに与えられる定められたスプレーパターンを乱さない位置ならば光源の位置はスプレー噴射角内でも良い。
さらに、光源或いは透光性カバーの外表面および／またはスプレーユニットのハウジング内部表面に光触媒を配することでスプレーユニットのハウジング内の汚染物質が、ノズル噴射口付近から流し落とした汚染物質も含めてスプレーミストの水流と共にスプレーユニットのハウジング外に円滑に排出される。光源が発光ダイオード（ＬＥＤ）の場合は光源の表面に直接光触媒を配することで透光性カバーが無くても良い。ここで言うスプレーユニットのハウジング内部表面とは光源あるいは透光性カバーの非透光性部および支柱、スプレーを遮蔽する遮蔽板などのハウジング内に配備したユニット構成部品の全ての表面を意味する。
【図面の簡単な説明】
【００１２】
【図１】図１は本発明に係る印刷機用スプレーダンプナー装置の基本構成を示す側面図である。
【図２】図２は印刷機用スプレーダンプナー装置の側面図である。
【図３】図３は印刷機用スプレーダンプナー装置の平面図である。
【図４】図４は円筒型またはチューブ状の透光性カバーを持った光源を用いたダンプナー装置の基本構成を示す側面図である。
【図５】図５は同装置の平面図である。
【図６】図６はドーム型透光性カバーを持った光源を用いたダンプナー装置の基本構成を示す側面図である。
【図７】図７はダンプナー装置の平面図である。
【図８Ａ】図８Ａはスプレーノズルの側面図である。
【図８Ｂ】図８Ｂはスプレーノズルの上面図である。
【図８Ｃ】図８Ｃは図８Ａのａ−ａ線に沿った断面図である。
【図９Ａ】図９Ａは充円錐形ノズルの側面図である。
【図９Ｂ】図９Ｂは充円錐形ノズルの上面図である。
【図９Ｃ】図９Ｃは図９Ａのａ−ａ線に沿った断面図である。
【符号の簡単な説明】
【００１３】
１    版胴
２    第２ダンプニングローラ
３    第１ダンプニングローラ
４    スプレーノズル
５    スプレーノズル取り付けフレーム
６    スプレーユニットのハウジング
１０    スプレーユニット
２０    光源
２１    透光性カバー
４３    噴射口
４４    ノズル壁
４５    噴射口付近表面
４６    噴射口内壁
４７    噴射口周辺
【発明を実施するための最良の形態】
【００１４】
本発明の実施形態を図面に基づいて説明する。
【実施例１】
【００１５】
図１は、刷機用スプレーのユニット（以下、スプレーユニットと称す）を設置したオフセット印刷機の一部の構成を示す模式図、図２は本発明のスプレーユニットの基本構成を示す側面図、図３は同装置の平面図である。【００１６】
版胴１に第２ダンプニングローラ２を介して第１ダンプニングローラ３が配置され、第１ダンプニングローラ３のほぼ全幅に亘ってローラ表面に対向してスプレーユニット１０が配置される。スプレーユニット１０は図３および図４に示されているように、スプレーノズル取り付けフレーム５がハウジング６構造になっており、湿し水がスプレーノズル取り付けフレーム５に取り付けられた複数個のスプレーノズル４から第１ダンプニングローラ３のローラ表面に向けて噴射し、第１ダンプニングローラ３から第２ダンプニングローラ２を介して版胴１に湿し水を供給する。スプレーノズル４はスプレーノズル取り付けフレーム５を構成するスプレーユニット構造体（図示せず）に固定される。ダンプニングローラの配列、本数は印刷機によって異なる。また、本実施例はダンプニングローラを使ったシステムで説明しているが、インキローラに直接湿し水を噴射してインキローラ上のインキ薄膜に湿し水を乳化させることでいわゆるダンプニングローラを使わない印刷機/印刷システムにも本発明のスプレーユニットが適用可能である。【００１７】
ハウジング６はダンプニングローラ３表面に対向する側が開放され、スプレーノズル４前方の湿し水噴射領域の上方および下方を覆うように設けられており、そのハウジング内部表面に光触媒を配している。ハウジング６の内部には光源２０が配備され、この光源２０をドーム型の透光性カバー２１で覆っている。光源２０は、発光ダイオード（ＬＥＤ）、紫外線あるいは可視光を発するランプで構成されており、スプレーノズル４のスプレー噴射角４ａの外側（図３参照）に配備されている。光源２０はスプレーダンプナー装置の稼動時間帯の一部または全部にわたって点灯させる。光源の照度によって稼動時間帯で十分な光触媒の機能が発揮されにくい場合は光源２０を稼働時間外も点灯させることもある。【００１８】
透光性カバー２１は、ドーム型を成し、ハウジング６の上壁と下壁の方向に向けて配されている。光源２０はハウジング６の上壁または下壁から配線２２されている。符号７は排水口、８はフィルタ付き排気口である。【００１９】
光源の他の実施例を説明する。図４は他の光源を用いたスプレーユニットの基本構成を示す側面図、図５は同装置の平面図である。【００２０】
透光性カバー２１は、円筒型またはチューブ状に形成されており、ダンプニングローラ３に沿ったハウジング１の長手方向に配備されている。透光性カバー２１の内部には発光ダイオード（ＬＥＤ）、紫外線あるいは可視光を発するランプで構成される光源２０がスプレーノズル４のスプレー噴射角４ａの外側（図５参照）に配備されている。光源２０は、ハウジング６の両端壁から配線２２される。また光源はスプレーノズル取り付けフレーム５に取り付け配線することも出来る。【００２１】
図６は、他の光源を用いたスプレーダンプナー装置の基本構成を示す側面図、図７は、同装置の平面図である。【００２２】
透光性カバー２１は、ドーム型を成し、第１ダンプニングローラ３に沿ったハウジング１の長手方向に横並びに配備されている。ハウジング１の下壁にベース２１ｃを固定し、このベース２１ｃに取り付けられた支柱２１ｂに、透光性カバー２１の開放端を閉塞する非透光性カバー２１ａが取り付けられている。透光性カバー２１の内部には、発光ダイオード（ＬＥＤ）、紫外線あるいは可視光を発するランプで構成される光源２０が配備される。光源２０は図７に示すようにスプレーノズル４のスプレー噴射角４ａの外側に位置され、ハウジング６の下壁からベース２１ｃ、支柱２１ｂを通して配線される。【００２３】
光源２０および透光性カバー２１は、上記の実施態様に限定されるものでなく、図３と図５の組み合わせあるいはスプレーノズル取り付けフレーム５に取り付け配線する事も出来、それらを適宜選択できる。光源および透光性カバーの外表面は、光触媒でコートされている。【００２４】
スプレーノズルについて説明する。図８Ａは、スプレーノズルの側面図、図８Ｂは、スプレーノズルの上面図、図８Ｃは、図８Ａのａ−ａ線に沿った断面図である。【００２５】
スプレーノズル４は、ノズル基部４０にパッキン４１を介在させてスプレーノズル取り付けフレーム５に固定される。湿し水は、入り口ベース４２へ供給され、噴射口４３から噴射される。一般的にスプレーユニットにおいては、特殊なスプレーパターンを形成するためにスプレーノズルの噴射口内壁４６、噴射口周辺４７の形状を変えて噴射口４３から噴射する湿し水のスプレーパターンを形成する。符号４５は、噴射口周辺４７の外側に形成される噴射口付近表面である。【００２６】
本例のスプレーノズル４には、噴射口４３を中央にして対向するノズル壁４４が設けられており、このノズル壁４４はハウジング内に起こるエヤーフローが噴射口に向かうのを遮り、エヤーフローを変えて少しでも汚れの原因物質の付着を抑える。【００２７】
一方、扇形、楕円形、充円錐形、充半円錐形、充多角形スプレーパターンのスプレーノズルを使用するスプレーユニットにおいては、スプレーノズルがノズル壁４４のようなエヤーフローに変化を与える特殊な目的をもった突起物を持たない。上記充円錐形スプレーパターンを持つスプレーノズルの一例を図９Ａ、図９Ｂ、９Ｃに示す。スプレーノズル４は、ノズル基部の前面周辺に環状壁が形成されており、この環状壁の内側中心に円形の噴射口４３が設けられている。環状壁と噴射口周辺４６との間は、噴射口付近表面４５を形成している。【００２８】
図８Ｃ、図９Ｃのいずれかのノズルでも、スプレー噴射口周辺４７とは、噴射口内壁４６と噴射口付近表面４５の間の部分を指し、スプレー噴射口周辺47は、堆積あるいは付着した汚染物質がスプレーパターンの変形の原因となる部分であり、噴射口付近表面とはスプレー噴射口４７の外側の部分である。但し噴射口付近表面４５に付着した汚染物質は、スプレー噴射口周辺４７に汚染物質の付着あるいは堆積が始まるきっかけになることがあるので、噴射口付近表面にも光触媒を配することが望ましいことは言うまでもない。【００２９】
光触媒にシリカを添加すると光触媒の効力が持続するので、光源あるいは透光性カバーの外表面に配する光触媒はシリカを添加することができる。
【図１】
2010004902.tif 000003
【図２】
2010004902.tif 000004
【図３】
2010004902.tif 000005
【図４】
2010004902.tif 000006
【図５】
2010004902.tif 000007
【図６】
2010004902.tif 000008
【図７】
2010004902.tif 000009
【図８Ａ】
2010004902.tif 000010
【図８Ｂ】
2010004902.tif 000011
【図８Ｃ】
2010004902.tif 000012
【図９Ａ】
2010004902.tif 000013
【図９Ｂ】
2010004902.tif 000014
【図９Ｃ】
2010004902.tif 000015
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
オフセット印刷機と組み合わせるために、ダンプニングローラの長手方向に沿って開口を持ったスプレーユニットと、該スプレーユニットのハウジングの内部に設けられ前記ダンプニングローラに向けて湿し水をスプレーする複数のスプレーノズルと、該スプレーノズルのスプレー噴射角の外側に配備された光源と、を備え、前記スプレーノズルのスプレー噴射口周辺に光触媒が配されていることを特徴とする印刷機用スプレーダンプナー装置。
【請求項２】
前記光触媒が噴射口付近表面に配されていることを特徴とする請求項１に記載の印刷機用スプレーダンプナー装置。
【請求項３】
前記光触媒が噴射口内壁に配されていることを特徴とする請求項１または２に記載の印刷機用スプレーダンプナー装置。
【請求項４】
前記光源が紫外線あるいは可視光を発するランプであることを特徴とする請求項１に記載の印刷機用スプレーダンプナー装置。
【請求項５】
前記光源が発光ダイオードであることを特徴とする請求項１に記載の印刷機用スプレーダンプナー装置。
【請求項６】
前記光源を少なくとも前記スプレーダンプナー装置の稼働中にかかって点灯させることを特徴とする請求項１に記載の印刷機用スプレーダンプナー装置。
【請求項７】
前記スプレーユニットのハウジング内部表面に光触媒を配したことを特徴する請求項１に記載の印刷機用スプレーダンプナー装置。
【手続補正２】
【補正対象書類名】明細書
【補正対象項目名】０００８
【補正方法】変更
【補正の内容】
【０００８】
上記の目的を達成するため、本発明はオフセット印刷機と組み合わせるために、ダンプニングローラの長手方向に沿って開口を持ったスプレーユニットと、該スプレーユニットのハウジングの内部に設けられ前記ダンプニングローラに向けて湿し水をスプレーする複数のスプレーノズルと、該スプレーノズルのスプレー噴射角の外側に配備された光源と、を備え、前記スプレーノズルのスプレー噴射口周辺に光触媒が配されていることを特徴とする。
【手続補正３】
【補正対象書類名】明細書
【補正対象項目名】００１０
【補正方法】変更
【補正の内容】
【００１０】
本発明は、次の構成を包含する。
（１）光源が紫外線または可視光を発するランプまたは発光ダイオード（ＬＥＤ）である。
（２）光源を少なくともスプレーダンプナー装置の稼働中にかかって点灯させる。
（３）スプレーユニットのハウジング内部表面に光触媒を配している。
【手続補正４】
【補正対象書類名】明細書
【補正対象項目名】００１１
【補正方法】変更
【補正の内容】
【００１１】
本発明の印刷機用スプレーダンプナー装置は、スプレーユニットのハウジング内の各スプレーノズルの汚染物質の堆積がスプレーパターンの乱れの原因と成る部分に光触媒を配するとともに光源を配備することで噴射する湿し水によるノズル噴射口付近の空気の流れ、或いは噴射後のノズル噴射口付近の空気の流れによって引き寄せられる汚染物質を付着或いは堆積させずに湿し水噴出時のスプレーミストと共に流し落として、ノズル交換或いは洗浄等のメンテナンスを低減しかつノズル詰りによる印刷不良や品質劣化などの印刷時のトラブルを防ぐことができる。また、光源を配備する位置はスプレー噴射角外に位置することでスプレーパターンを乱さない。スプレーユニット内に配備する光源の位置は必ずしも図３に示すようなダンプニングローラ長手方向左右のスプレー噴射角外だけではなく図４に示す如く上下のスプレー噴射角外でも良い。
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
オフセット印刷機と組み合わせるために、ダンプニングローラの長手方向に沿ってダンプニングローラ表面に接近して対向する側が開放されかつスプレーノズル前方の湿し水噴射領域、スプレーノズル及び光源を覆うハウジング構造のスプレーユニットと、該スプレーユニットのハウジングの内部に設けられ前記ダンプニングローラ表面に向けて湿し水をスプレーする複数のスプレーノズルと、を含んで構成される印刷機用スプレーダンプナー装置であって、
前記スプレーノズルのスプレー噴射口周辺に光触媒が配され、該光触媒に光を照射する光源が前記スプレーノズルのスプレー噴射角の外側で、かつ前記ハウジングの内部に配備されていることを特徴とする印刷機用スプレーダンプナー装置。
【請求項２】
前記光触媒が噴射口付近表面に配されていることを特徴とする請求項１に記載の印刷機用スプレーダンプナー装置。
【請求項３】
前記光触媒が噴射口内壁に配されていることを特徴とする請求項１または２に記載の印刷機用スプレーダンプナー装置。
【請求項４】
前記光源が紫外線あるいは可視光を発するランプであることを特徴とする請求項１に記載の印刷機用スプレーダンプナー装置。
【請求項５】
前記光源が発光ダイオードであることを特徴とする請求項１に記載の印刷機用スプレーダンプナー装置。
【請求項６】
前記光源を少なくとも前記スプレーダンプナー装置の稼働中にかかって点灯させることを特徴とする請求項１に記載の印刷機用スプレーダンプナー装置。
【請求項７】
前記スプレーユニットのハウジング内部表面に光触媒を配したことを特徴する請求項１に記載の印刷機用スプレーダンプナー装置。
【手続補正２】
【補正対象書類名】明細書
【補正対象項目名】０００８
【補正方法】変更
【補正の内容】
【０００８】
上記の目的を達成するため、本発明は、オフセット印刷機と組み合わせるために、ダンプニングローラの長手方向に沿ってダンプニングローラ表面に接近して対向する側が開放されかつスプレーノズル前方の湿し水噴射領域、スプレーノズル及び光源を覆うハウジング構造のスプレーユニットと、該スプレーユニットのハウジングの内部に設けられ前記ダンプニングローラ表面に向けて湿し水をスプレーする複数のスプレーノズルと、を含んで構成される印刷機用スプレーダンプナー装置であって、
前記スプレーノズルのスプレー噴射口周辺に光触媒が配され、該光触媒に光を照射する光源が前記スプレーノズルのスプレー噴射角の外側で、かつ前記ハウジングの内部に配備されていることを特徴とする。
【手続補正３】
【補正対象書類名】明細書
【補正対象項目名】００１０
【補正方法】変更
【補正の内容】
【００１０】
本発明は、次の構成を包含する。
（１）光源が紫外線または可視光を発するランプまたは発光ダイオード（ＬＥＤ）である。
（２）光源を少なくともスプレーダンプナー装置の稼働中にかかって点灯させる。
（３）スプレーユニットのハウジング内部表面に光触媒を配している。
【手続補正４】
【補正対象書類名】明細書
【補正対象項目名】００１１
【補正方法】変更
【補正の内容】
【００１１】
本発明の印刷機用スプレーダンプナー装置は、ダンプニングローラの長手方向に沿ってダンプニングローラ表面に接近して対向する側が開放されかつスプレーノズル前方の湿し水噴射領域、スプレーノズル及び光源を覆うハウジング構造のスプレーユニットにおいて、各スプレーノズルの汚染物質の堆積がスプレーパターンの乱れの原因と成る部分に光触媒を配し、この光触媒に光を照射する光源をスプレーノズルのスプレー噴射角の外側で、かつハウジングの内部に配備することで噴射する湿し水によるノズル噴射口付近の空気の流れ、或いは噴射後のノズル噴射口付近の空気の流れによって引き寄せられる汚染物質を付着或いは堆積させずに湿し水噴出時のスプレーミストと共に流し落として、ノズル交換或いは洗浄等のメンテナンスを低減しかつノズル詰りによる印刷不良や品質劣化などの印刷時のトラブルを防ぐことができる。また、光源がスプレー噴射角外に位置することでスプレーパターンを乱さない。スプレーユニット内に配備する光源の位置は必ずしも図３に示すようなダンプニングローラ長手方向左右のスプレー噴射角外だけではなく図４に示す如く上下のスプレー噴射角外でも良い。
【手続補正５】
【補正対象書類名】明細書
【補正対象項目名】００１７
【補正方法】変更
【補正の内容】
【００１７】
ハウジング６は、図２に示されているようにダンプニングローラ３表面に接近して対向する側が開放され、スプレーノズル４前方の湿し水噴射領域の上方および下方を覆うように設けられており、そのハウジング内部表面に光触媒を配している。ハウジング６の内部には光源２０が配備され、この光源２０をドーム型の透光性カバー２１で覆っている。光源２０は、発光ダイオード（ＬＥＤ）、紫外線あるいは可視光を発するランプで構成されており、スプレーノズル４のスプレー噴射角４ａの外側（図３参照）に配備されている。光源２０はスプレーダンプナー装置の稼動時間帯の一部または全部にわたって点灯させる。光源の照度によって稼動時間帯で十分な光触媒の機能が発揮されにくい場合は光源２０を稼働時間外も点灯させることもある。
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
オフセット印刷機と組み合わせるために、ダンプニングローラの長手方向に沿ってダンプニングローラ表面に接近して対向する側が開放されかつスプレーノズル前方の湿し水噴射領域、スプレーノズル及び光源を覆うハウジング構造のスプレーユニットと、該スプレーユニットのハウジングの内部に設けられ前記ダンプニングローラ表面に向けて湿し水をスプレーする複数のスプレーノズルと、を含んで構成される印刷機用スプレーダンプナー装置であって、
前記スプレーノズルのスプレー噴射口周辺に光触媒が配され、該光触媒に光を照射する光源が前記スプレーノズルのスプレー噴射角の外側で、かつ前記ハウジングの内部に配備され、スプレー噴射口に汚染物質を付着或いは堆積させずに湿し水噴出時のスプレーミストと共に流し落とすことを特徴とする印刷機用スプレーダンプナー装置。
【請求項２】
前記光触媒が噴射口付近表面に配されていることを特徴とする請求項１に記載の印刷機用スプレーダンプナー装置。
【請求項３】
前記光源が紫外線あるいは可視光を発するランプであることを特徴とする請求項１に記載の印刷機用スプレーダンプナー装置。
【請求項４】
前記光源が発光ダイオードであることを特徴とする請求項１に記載の印刷機用スプレーダンプナー装置。
【請求項５】
前記光源を少なくとも前記スプレーダンプナー装置の稼働中にかかって点灯させることを特徴とする請求項１に記載の印刷機用スプレーダンプナー装置。
【請求項６】
前記スプレーユニットのハウジング内部表面に光触媒を配したことを特徴する請求項１に記載の印刷機用スプレーダンプナー装置。
【手続補正２】
【補正対象書類名】明細書
【補正対象項目名】０００８
【補正方法】変更
【補正の内容】
【０００８】
上記の目的を達成するため、本発明は、オフセット印刷機と組み合わせるために、ダンプニングローラの長手方向に沿ってダンプニングローラ表面に接近して対向する側が開放されかつスプレーノズル前方の湿し水噴射領域、スプレーノズル及び光源を覆うハウジング構造のスプレーユニットと、該スプレーユニットのハウジングの内部に設けられ前記ダンプニングローラ表面に向けて湿し水をスプレーする複数のスプレーノズルと、を含んで構成される印刷機用スプレーダンプナー装置であって、
前記スプレーノズルのスプレー噴射口周辺に光触媒が配され、該光触媒に光を照射する光源が前記スプレーノズルのスプレー噴射角の外側で、かつ前記ハウジングの内部に配備され、スプレー噴射口に汚染物質を付着或いは堆積させずに湿し水噴出時のスプレーミストと共に流し落とすことを特徴とする。
【手続補正３】
【補正対象書類名】明細書
【補正対象項目名】００１１
【補正方法】変更
【補正の内容】
【００１１】
本発明の印刷機用スプレーダンプナー装置は、ダンプニングローラの長手方向に沿ってダンプニングローラ表面に接近して対向する側が開放されかつスプレーノズル前方の湿し水噴射領域、スプレーノズル及び光源を覆うハウジング構造のスプレーユニットにおいて、各スプレーノズルの汚染物質の堆積がスプレーパターンの乱れの原因と成る部分に光触媒を配し、この光触媒に光を照射する光源をスプレーノズルのスプレー噴射角の外側で、かつハウジングの内部に配備され、噴射する湿し水によるノズル噴射口付近の空気の流れ、或いは噴射後のノズル噴射口付近の空気の流れによって引き寄せられる汚染物質を付着或いは堆積させずに湿し水噴出時のスプレーミストと共に流し落すことにより、ノズル交換或いは洗浄等のメンテナンスを低減しかつノズル詰りによる印刷不良や品質劣化などの印刷時のトラブルを防ぐことができる。また、光源がスプレー噴射角外に位置することでスプレーパターンを乱さない。スプレーユニット内に配備する光源の位置は必ずしも図３に示すようなダンプニングローラ長手方向左右のスプレー噴射角外だけではなく図４に示す如く上下のスプレー噴射角外でも良い。
【国際調査報告】
2010004902.tif 000016
2010004902.tif 000017
2010004902.tif 000018
2010004902.tif 000019